(57)【要約】【課題】屋根面の断熱効果を高めると共に、断熱空間層の上層フィルムの内面に付着した水滴を除去して、太陽光線がハウスの内部に十分に照射し、ハウス内を暖めることができる農業用ハウスの断熱空間構造を提供するものである。【解決手段】屋根フレーム１に、棟２と軒先３との間に、複数本の下段フィルム固定レール４Ａを棟方向に沿って間隔をおいて複数本取付け、ここに透明なフィルム５を張り渡して下段フィルム層８Ａを形成し、更に前記下段フィルム固定レール８Ａの上に、上段フィルム固定レール４Ｂを接合して、ここに透明なフィルム５を張り渡して上段フィルム層８Ｂを形成して、これと下段フィルム層８Ａとの間に断熱空間部１３を形成し、この断熱空間部１３の軒先側の端部を開口して、ここに連通して軒先３側に沿って送風ダクト１０を取付け、送風ダクト１０を通して暖房機からの空気を断熱空間部１３に送風するようにしたものである。【選択図】  図２
0003146977.tif 000002
【実用新案登録請求の範囲】
【請求項１】
金属製構造材料で形成された屋根フレームに、棟と軒先側との間に、複数本の下段フィルム固定レールを棟方向に沿って間隔をおいて複数本取付け、ここに透明なフィルムを張り渡して下段フィルム層を形成し、更に前記下段フィルム固定レールの上に、上段フィルム固定レールを接合して、ここに透明なフィルムを張り渡して上段フィルム層を形成して、これと前記下段フィルム層との間に断熱空間部を形成し、この断熱空間部の軒先側の端部を開口して、ここに連通して軒先側に沿って送風ダクトを取付け、送風ダクトを通して送風機や暖房機からの空気を隣接する上段フィルム固定レール間の断熱空間部に送風することを特徴とする農業用ハウスの断熱空間構造。
【請求項２】
送風ダクトが断面略Ｕ形に形成され、その軒先側の側壁に端部フィルム固定レールが形成され、ここに上段フィルム層の端部を固定したことを特徴とする請求項１記載の農業用ハウスの断熱空間構造。
【請求項３】
端部フィルム固定レールを設けた送風ダクトがアルミニウムの押出材で一体成型されていることを特徴とする請求項２記載の農業用ハウスの断熱空間構造。
【考案の詳細な説明】
【技術分野】
【０００１】
本考案は、農業用ハウスの結露を防止した断熱空間構造に関するものである。
【背景技術】
【０００２】
一般にハウス栽培を行なう温室は鉄骨で家形のフレームを組み、ここにたる木状にフィルム固定具を適宜の間隔で取付け、この上を透明なプラスチックフィルムで覆って農業用ハウスを組立てていた。
【０００３】
しかしながら寒冷地にある一層だけのフィルムで形成した農業用ハウスでは、暖められた空気が上昇して、外気と接するフィルムから放熱するため暖房効果が低下する問題があった。
【０００４】
このため農業用ハウスの天井側にカーテンを設けたり、屋根のフィルムを二層構造として、上層フィルムと下層フィルムとの間に断熱空間層を形成して、ハウス内の断熱効果を高めて省エネルギー化を図った農業用ハウスが普及してきた（特許文献１）。
【０００５】
このように農業用ハウスの屋根を二層構造とすることにより、断熱性を高めることはできるが、朝方になって外気が冷えると、上層フィルムの内側の湿度の高い空気が冷やされて、上層フィルムの内面に水滴が凝縮して曇りガラスのようになり、水滴が蒸発するまで午前中は太陽光線が温室の内部に十分に照射せず、ハウス内の温度が上昇しない問題があった。また降雪地帯では屋根に雪が積もると、次第に堆積して、雪の重みにより農業用ハウスが倒壊する問題があった。
【特許文献１】特許第２６２７７６１号公報
【考案の開示】
【考案が解決しようとする課題】
【０００６】
本考案は上記問題を改善し、断熱効果を高めると共に、断熱空間層の上層フィルムの内面に付着した水滴を除去して、明け方から太陽光線がハウスの内部に十分に照射し、ハウス内を速やかに暖めることができると共に、屋根に積もった雪を滑落させてハウスの倒壊を防止した農業用ハウスの断熱空間構造を提供するものである。
【課題を解決するための手段】
【０００７】
本考案の請求項１記載の農業用ハウスの断熱空間構造は、金属製構造材料で形成された屋根フレームに、棟と軒先側との間に、複数本の下段フィルム固定レールを棟方向に沿って間隔をおいて複数本取付け、ここに透明なフィルムを張り渡して下段フィルム層を形成し、更に前記下段フィルム固定レールの上に、上段フィルム固定レールを接合して、ここに透明なフィルムを張り渡して上段フィルム層を形成して、これと前記下段フィルム層との間に断熱空間部を形成し、この断熱空間部の軒先側の端部を開口して、ここに連通して軒先側に沿って送風ダクトを取付け、送風ダクトを通して送風機や暖房機からの空気を隣接する上段フィルム固定レール間の断熱空間部に送風することを特徴とするものである。
【０００８】
本考案の請求項２記載の農業用ハウスの断熱空間構造は、請求項１において、送風ダクトが断面略Ｕ形に形成され、その軒先側の側壁に端部フィルム固定レールが形成され、ここに上段フィルム層の端部を固定したことを特徴とするものである。
【０００９】
本考案の請求項３記載の農業用ハウスの断熱空間構造は、請求項２において、端部フィルム固定レールを設けた送風ダクトがアルミニウムの押出材で一体成型されていることを特徴とするものである。
【考案の効果】
【００１０】
請求項１記載の農業用ハウスの断熱空間構造によれば、暖房機や送風機から風を送風ダクトに供給し、更にここから、断熱空間部を通して棟側に吹き出させて、全体に亘って均一に効率的よく加熱して上段フィルム層の内面に生じた結露を除去し、明け方から太陽光線の入射を確保してハウスの内部に十分に照射し、ハウス内を速やかに暖めることができる。
【００１１】
また屋根面に断熱空間部を形成したので、気温の高い夏季でも断熱効果が優れており、小型の冷房機器を設置しても十分な冷房効果が得られ、いちごやランなどを採算の取れる経費で栽培することが可能である。また気温の低い冬期間においても、断熱効果が優れているので、従来の一層フィルムの農業用ハウスに比べて４０％以上低減させて省エネルギー化を図ることができる。
【００１２】
請求項２記載の農業用ハウスの断熱空間構造によれば、送風ダクトが断面略Ｕ形に形成され、その軒先側の側壁に端部フィルム固定レールが形成され、ここに上段フィルム層の端部を固定したので断熱空間部の軒先側を密閉することができる。
【００１３】
請求項３記載の農業用ハウスの断熱空間構造によれば、端部フィルム固定レールを設けた送風ダクトがアルミニウムの押出材で一体に成型されているので製造が容易であると共に、施工作業が容易である。
【考案を実施するための最良の形態】
【００１４】
以下本考案の実施の一形態を図１ないし図３を参照して詳細に説明する。先ず図１に示すように、チャンネル材などの鉄骨で形成された屋根フレーム１の上の、棟２と軒先３側との間に、これと直交して図２に示すように、たる木状に上部側を狭く開口した複数本の下段フィルム固定レール４Ａが棟方向に沿って間隔をおいて固定されている。
【００１５】
この隣接する下段フィルム固定レール４Ａ、４Ａの上に、透明なプラスチックで形成されたフィルム５を面状に張り渡し、図３に示すように下段フィルム固定レール４Ａの開口部の内側に挿入して、波形のスプリング７で押えて固定し、下段フィルム層８Ａを形成する。フィルム５は表面が平滑で、透明性が高く、しかも耐久性に優れた、例えばフッ素系のプラスチックフィルムで形成されている。
【００１６】
次に図１および図２に示すように下段フィルム固定レール４Ａの軒先側に、送風ダクト１０をビス１１で固定する。この送風ダクト１０は断面略Ｕ形に形成され、その側壁上部に端部フィルム固定レール４Ｃが設けられ、棟側の側壁上部に取付板１２が横方向に設けられ、アルミニウムの押出し加工により一体に成型されている。
【００１７】
また下段フィルム層８Ａを形成した各下段フィルム固定レール４Ａの上に、上段フィルム固定レール４Ｂを重ねてビス１１で固定する。次にこの隣接する下段フィルム固定レール４Ｂ、４Ｂの上に、図３に示すように透明なプラスチックで形成されたフィルム５を面状に張り渡し、上段フィルム固定レール４Ｂの開口部の内側に、波形のスプリング７で押えて固定し、上段フィルム層８Ｂを形成する。次に上段フィルム固定レール４Ｂの長手方向に沿って所定の間隔でフィルム押え９を取付けてビス１１で固定し上段フィルム層８Ｂを上から固定する。
【００１８】
この後、上段フィルム層８Ｂを形成するフィルム５の端部を図１および図２に示すように送風ダクト１０の断面Ｕ形の上部開口部を覆って、その端部を端部フィルム固定レール４Ｃの開口部の内側に挿入して、波形のスプリング７で押えて固定し、下段フィルム層８Ａと上段フィルム層８Ｂとの間に断熱空間部１３を形成する。この結果、断熱空間部１３の軒先３側の開口部１５と送風ダクト１０が連通した状態となる。なお図において１４は、支柱フレームで、また送風ダクト１０は図示しない暖房器や沿う拭きに接続されている。
【００１９】
上記構成の農業用ハウスの断熱空間構造は、屋根が平滑で透明な下段フィルム層８Ａと上段フィルム層８Ｂで断熱空間部１３が形成されているので断熱効果が優れている。また下段フィルム層８Ａと上段フィルム層８Ｂは、透明なフィルム５で形成されているので太陽光線の入射が妨げられず、ハウス内を効率よく暖めることができる。
【００２０】
また夜間に外気が冷えると、上段フィルム層８Ｂに接する断熱空間部１３の空気が冷やされて、上段フィルム層８Ｂの内面に水滴が凝縮して曇りガラスのようになる。このため、日の出の１〜２時間前になったら図示しない制御装置により暖房機を１０〜２０分、間欠的に運転することにより、温風が送風ダクト１０に送られ、その長手方向に沿って流れる。更にこの過程で、隣接する上段フィルム固定レール４Ｂ、４Ｂ間の断熱空間部１３に送られ、ここを屋根面に沿って上昇し、断熱空間部１３を全体に亘って均一に加熱し、棟側の開口部１５からハウス内に排気されて、内部を暖房する。
【００２１】
この結果、屋根を構成する断熱空間部１３内を高温の空気が流通し、上段フィルム層８Ｂの内面に付着していた水滴が蒸発する。この場合、暖房機は日の出前に短時間だけ間欠的に運転するだけで水滴を除去することができる。このため日の出と共に太陽光がハウス内に照射され、太陽光線によって効率よく暖めることができる。
【００２２】
また大雪注意報などが発令された場合には、図示しない制御装置で連続的に暖房機を運転することにより、断熱空間部１３を常時加熱し、表面が平滑な上段フィルム層８Ｂの上に積もった雪はその接触面で融けて滑落するので、雪が堆積してその重みによる倒壊を防止することができる。このように、ハウス全体を高温に暖房するのではなく、屋根を構成する狭い断熱空間部１３だけを局部的に加熱して結露を除去したり、雪を滑落させるので使用するエネルギーも僅かである。
【００２３】
従って断熱空間部１３が形成されているので、気温の高い夏季でも断熱効果が優れており、小型の冷房機器を設置しても十分な冷房効果が得られ、いちごやランなどを採算の取れる経費で栽培することが可能となった。また気温の低い冬期間においても、断熱効果が優れているので、屋根面が１層フィルムの従来の農業用ハウスに比べて使用する暖房費用も４０％以上低減でき省エネルギー化を図ることができる。
【００２４】
なお上記説明では、下段フィルム固定レール４Ａに下段フィルム層８Ａを形成した後、上段フィルム固定レール４Ｂを取付け、ここに上段フィルム層８Ｂを形成して、この間に断熱空間部１３を形成した場合について示したが、屋根面が１層フィルムの既存の農業用ハウスに、送風ダクト１０と上段フィルム固定レール４Ｂを取付け、ここに上段フィルム層８Ｂを形成することにより、断熱空間部１３を形成することもできる。
【図面の簡単な説明】
【００２５】
【図１】本考案の実施の一形態による断熱空間層を形成した屋根に、送風ダクトを通して暖房機からの温風を供給する農業用ハウスの断熱空間構造の要部縦断正面図である。
【図２】図１の農業用ハウスの断熱空間構造の縦断側面図を示す斜視図である。
【図３】図１の農業用ハウスの断熱空間構造の要部縦断側面図である。
【符号の説明】
【００２６】
１    屋根フレーム                                          
２    棟                                                    
３    軒先                                                  
４Ａ  下段フィルム固定レール                                
４Ｂ  上段フィルム固定レール                                
４Ｃ  端部フィルム固定レール                                
５    フィルム                                              
７    波形のスプリング                                      
８Ａ  下段フィルム層                                        
８Ｂ  上段フィルム層                                        
９    フィルム押え                                          
１０  送風ダクト                                            
１１  ビス                                                  
１２  取付板                                                
１３  断熱空間部                                            
１４  支柱フレーム                                          
１５  開口部                                                
【図１】
0003146977.tif 000003
【図２】
0003146977.tif 000004
【図３】
0003146977.tif 000005